(57)【要約】      （修正有）【課題】簡易な構成の３個のクッション体を組み合わせることで、人体の背筋や首筋を伸ばすのに適した形態で使用できるようにした組み合わせクッションを提供する。【解決手段】全体が略直方体形状の１つの中央クッション体１と、中央クッション体の前後各側面１１，１２に接続されるスロープ体形状の前後２つの接続クッション体２，３とで構成された組み合わせクッションであって、中央クッション体１の上面は、前後長さ中央部が前後各側面の高さより高い高さである凸円弧面１５ａとされており、各接続クッション体２，３は、中央クッション体１の前後各側面と同形同面積の接合側面２１，３１を有し且つ各上面が接合側面の上端から反接合側面側の端部に向けて下降傾斜するスロープ面２５ａ，３５ａとされている。人体の背筋や首筋を伸ばすのに適した形態で使用できる。【選択図】図３
0003208207.tif 000002
【実用新案登録請求の範囲】
【請求項１】
前後各側面（１１，１２）がそれぞれ所定高さ（Ｈ１）と所定左右幅（Ｗ）を有した横長矩形で且つ左右各側面（１３，１４）がそれぞれ所定高さ範囲（Ｈ１〜Ｈ２）と所定前後長さ（Ｌ）を有した略四角形であって全体が略直方体形状の１つの中央クッション体（１）と、該中央クッション体（１）の前後各側面（１１，１２）にそれぞれ接離自在に接続されるスロープ体形状の前後２つの接続クッション体（２，３）とで構成されており、
上記中央クッション体（１）の上面（１５）は、該上面（１５）の前後長さ中央部が上記前後各側面（１１，１２）の上記高さ（Ｈ１）より高い高さ（Ｈ２）である緩やかな凸円弧面（１５ａ）とされており、
上記各接続クッション体（２，３）は、上記中央クッション体（１）の前後各側面（１１，１２）と同形同面積の接合側面（２１，３１）を有し且つ各上面（２５，３５）が上記接合側面（２１，３１）の上端から反接合側面側の端部に向けて下降傾斜するスロープ面（２５ａ，３５ａ）とされている、
ことを特徴とする組み合わせクッション。
【考案の詳細な説明】
【技術分野】
【０００１】
本考案は、３個に分割されたクッション体で構成されていて、人体の背筋や首筋を伸ばすのに適した形態で使用できるようにした組み合わせクッションに関するものである。
【背景技術】
【０００２】
デスクワーク（例えばパソコン作業）をする人は、椅子に座ったままで長時間同じ姿勢を維持することが多い。そして、椅子に座った姿勢で作業をする場合は、上体が自然に前かがみになることが多く、毎日長時間のデスクワークをする人にとっては、首筋・肩・背中・腰等に疲労が溜まり易いとともに、胃腸が圧迫されたり猫背になり易いという問題を内包している。
【０００３】
ところで、首筋・肩・背中・腰等に疲労が溜まったときに、上半身を後方に反らせて背筋を伸ばせば疲労感が軽減される（気持ちが良くなる）が、何も支え無しに上半身を後方に反らせた姿勢を維持しておくのは逆に苦痛になるので、支え無しで長時間の背伸ばし姿勢を維持することができなかった。
【０００４】
尚、背伸ばし用のストレッチ器具は、各種のものが開発・市販されているが、高価であったり、用途が限定的であったり、使い方が面倒であったりするので、さほど一般家庭に普及していないのが現状である。
【考案の概要】
【考案が解決しようとする課題】
【０００５】
そこで、本考案は、簡易な構成の３個のクッション体を組み合わせることで、人体の背筋や首筋を伸ばすのに適した形態で使用できるようにした組み合わせクッションを提供することを目的としてなされたものである。
【課題を解決するための手段】
【０００６】
本考案は、上記課題を解決するための手段として次の構成を有している。尚、本考案は、人体の背筋や首筋を伸ばすのに適した形態で使用できる組み合わせクッションを対象としている。
【０００７】
そして、本考案の組み合わせクッションは、図１〜図６に例示するように、略直方体形状（後述するように上面１５が凸円弧面１５ａとされている）の１つの中央クッション体１と、該中央クッション体１の前後に接離自在に接続されるスロープ体形状の前後２つの接続クッション体２，３とで構成されている。尚、本願の説明において、前後及び左右とは、図１において「前」、「後」、「左」、「右」とそれぞれ表示している各方向のことである。
【０００８】
中央クッション体１は、前後各側面１１，１２がそれぞれ所定高さＨ１と所定左右幅Ｗを有した横長矩形で且つ左右各側面１３，１４がそれぞれ所定高さ範囲Ｈ１〜Ｈ２と所定前後長さＬを有した略四角形であって全体が略直方体形状に成形されたものである。尚、本願の表現において、上記左右各側面１３，１４が「略四角形」であるとは、該左右各側面１３，１４の上辺が緩やかな円弧であることを含むものであり、上記中央クッション体１が「略直方体形状」であるとは、次述するように該中央クッション体１の上面が緩やかな凸円弧面であることを含むものである。
【０００９】
上記中央クッション体１の上面１５は、該上面１５の前後長さ中央部が左右各側面１３，１４の上端高さＨ１より高い高さＨ２である緩やかな凸円弧面１５ａとされている。
【００１０】
前後２つの接続クッション体２，３は、上記中央クッション体１の前後各側面１１，１２と同形同面積（横長矩形）の接合側面２１，３１を有し且つ各上面２５，３５が接合側面２１，３１の上端から反接合側面側に向けて下降傾斜するスロープ面２５ａ，３５ａとされたものである。尚、各接続クッション体２，３における左右各側面２３，２４（又は３３，３４）の形状は、それぞれ横長の直角三角形である。
【００１１】
本考案の組み合わせクッションは、図３に示すように背筋伸ばし用や、図４に示すように首筋伸ばし用に使用することができる。そして、この組み合わせクッションを背筋伸ばし用や首筋伸ばし用に使用するときには、図３又は図４に示すように、中央クッション体１の前側面１１に前側接続クッション体２の接合側面２１を接合させる一方、中央クッション体１の後側面１２に後側接続クッション体３の接合側面３１を接合させて、３つのクッション体１，２，３を一列に連続させた形態で使用する。尚、以下の説明では、３つのクッション体１，２，３を一列に連続させた状態（図３及び図４の状態）を連続クッション体Ｙと表現することがある。
【００１２】
図３又は図４に示すように、３つのクッション体を連続させた状態（連続クッション体Ｙ）では、中央クッション体１の上面が前後方向に湾曲する凸円弧面１５ａとなっており、さらに該凸円弧面１５ａの前後各端部に前後各接続クッション体２，３の各スロープ面２５ａ，３５ａが段差なしに連続しているので、連続クッション体Ｙ全体の上面（１５ａ，２５ａ，３５ａ）が緩やかに連続する凸面状になっている。
【００１３】
そして、連続クッション体Ｙを使用して人体の背筋伸ばしをしたいときには、図３に示すように、人体Ｍの背中Ｍａが中央クッション体１の凸円弧面１５ａ上に位置する状態で仰向けに寝そべる。すると、背中Ｍａの広範囲の面積部分が連続クッション体Ｙの上面（凸面状）に接触するので、上半身が連続クッション体Ｙ上で背側に反り返った姿勢に維持される。
【００１４】
他方、連続クッション体Ｙを使用して人体の首筋伸ばしをしたいときには、図４に示すように、人体Ｍの首Ｍｂ部分が中央クッション体１の凸円弧面１５ａ上に位置する状態で仰向けに寝そべる。すると、頭及び肩部分が中央クッション体１の上面（凸円弧面１５ａ）に接触するので、首筋（符号Ｍｂ）が背側に反り返った姿勢に維持される（デスクワーク等で前曲げされていた首筋が後側に伸ばされる）
【考案の効果】
【００１５】
本考案の組み合わせクッションは、上記したような背筋伸ばしや首筋伸ばしに適した形態に連続させることができる３つのクッション体１，２，３で構成されていて、この３つのクッション体を一列に連続させた上記連続クッション体Ｙの形態で使用すると、上面が緩やかな凸面となる形状となるので、その連続クッション体Ｙの上に仰向けに寝そべるだけで、楽に背筋や首筋を伸ばすことができるという機能を提供できる。
【００１６】
又、本考案の組み合わせクッションは、分離された３つのクッション体１，２，３で構成されているので、各クッション体の組み合わせを選択することによって、背筋伸ばしや首筋伸ばし以外の用途に使用できるとともに、不使用時には３つのクッション体を積み重ねてコンパクトに保管することができる、という効果もある。
【図面の簡単な説明】
【００１７】
【図１】本願実施例の組み合わせクッションを分離した状態での斜視図である。
【図２】図１の組み合わせクッションのII−II断面図である。
【図３】図１の組み合わせクッションを背筋伸ばし用に使用している説明図である。
【図４】図１の組み合わせクッションを首筋伸ばし用に使用している説明図である。
【図５】図４の首筋伸ばし形態の変形使用例を示す説明図である。
【図６】図１の組み合わせクッションのさらに他の使用例を示す説明図である。
【考案を実施するための形態】
【００１８】
図１〜図６を参照して本願実施例の組み合わせクッションを説明すると、この実施例の組み合わせクッションは、図１及び図２に示すように、略直方体形状（後述するように上面１５が凸円弧面１５ａとなっている）の１つの中央クッション体１と、該中央クッション体１の前後に接離自在に接続されるスロープ体形状の前後２つの接続クッション体２，３とで構成されている。
【００１９】
中央クッション体１と左右の各接続クッション体２，３は、図２に示すように高反発樹脂製（例えばポリウレタンフォーム製）のクッション本体Ａを肌触りのよいカバー体Ｂ（例えばパイル生地）で被覆したものである。尚、カバー体Ｂは、クッション本体Ａから取り外して洗濯できるものである。
【００２０】
中央クッション体１は、図１及び図２に示すように、前後各側面１１，１２がそれぞれ所定高さＨ１と所定左右幅Ｗを有した横長矩形で且つ左右各側面１３，１４が所定高さ範囲Ｈ１〜Ｈ２と所定前後長さＬを有した略四角形であって全体が略直方体形状に成形されたものである。尚、この実施例の表現においても、上記左右各側面１３，１４が「略四角形」であるとは、該左右各側面１３，１４の上辺が緩やかな円弧であることを含むものであり、上記中央クッション体１が「略直方体形状」であるとは、次述するように該中央クッション体１の上面が緩やかな凸円弧面であることを含むものである。
【００２１】
上記中央クッション体１の上面１５は、該上面１５の前後長さ中央部が左右各側面１３，１４の上端高さＨ１より高い高さＨ２である凸円弧面１５ａとされている。尚、上記凸円弧面１５ａは、中央クッション体１の前後方向に湾曲したものである。
【００２２】
この中央クッション体１の各寸法は、特に限定するものではないが、前後各側面１１，１２における高さＨ１が１２.５cmで左右幅Ｗが６０cm、左右各側面１３，１４における前後長さＬが３０cmで上辺部の前後長さ中央部の高さＨ２が１６.５cm程度になるように設定することができる。尚、中央クッション体１の上面１５は、その前後端縁の各高さＨ１（１２.５cm）と前後長さ中央部の高さＨ２（１６.５cm）との高差が４cm程度であって、前後方向に緩やかな凸円弧面１５ａとなっている。
【００２３】
前後２つの接続クッション体２，３は、上記中央クッション体１の前後各側面１１，１２と同形同面積（横長矩形）の接合側面２１，３１を有し且つ各上面２５，３５が接合側面２１，３１の上端から反接合側面側に向けて下降傾斜するスロープ面２５ａ，３５ａとされたものである。各接続クッション体２，３における左右各側面２３，２４（又は３３，３４）の形状は、それぞれ横長の直角三角形である。
【００２４】
この各接続クッション体２，３の各寸法は、特に限定するものではないが、接合側面２１（又は３１）における高さＨ１が１２.５cmで左右幅Ｗが６０cm、左右各側面２３，２４（又は３３，３４）の前後長さＬが３０cm程度に設定することができる。
【００２５】
図１及び図２に示す実施例の組み合わせクッションは、図３に示す背筋伸ばし用や、図４に示す首筋伸ばし用に使用することができる。そして、この組み合わせクッションを背筋伸ばし用や首筋伸ばし用に使用するときには、図３又は図４に示すように、中央クッション体１の前側面１１に前側接続クッション体２の接合側面２１を接合させる一方、中央クッション体１の後側面１２に後側接続クッション体３の接合側面３１を接合させて、３つのクッション体１，２，３を一列に連続させた形態で使用する。尚、この実施例の説明でも、３つのクッション体１，２，３を一列に連続させた状態（図３及び図４の状態）を連続クッション体Ｙと表現する。
【００２６】
図３又は図４に示すように、３つのクッション体１，２，３を連続させた状態（連続クッション体Ｙ）では、中央クッション体１の上面が前後方向に湾曲する凸円弧面１５ａとなっており、さらに該凸円弧面１５ａの前後各端部に前後各接続クッション体２，３の各スロープ面２５ａ，３５ａが段差なしに連続しているので、連続クッション体Ｙ全体の上面（１５ａ，２５ａ，３５ａ）が緩やかに連続する凸面状になっている。
【００２７】
そして、連続クッション体Ｙを使用して人体の背筋伸ばしをしたいときには、図３に示すように、人体Ｍの背中Ｍａが中央クッション体１の凸円弧面１５ａ上に位置する状態で仰向けに寝そべる。すると、背中Ｍａの広範囲の面積部分が連続クッション体Ｙの上面（凸面状）に接触するので、上半身が連続クッション体Ｙ上で背側に反り返った姿勢に維持される。
【００２８】
他方、連続クッション体Ｙを使用して人体の首筋伸ばしをしたいときには、図４に示すように、人Ｍの首Ｍｂ部分が中央クッション体１の凸円弧面１５ａ上に位置する状態で仰向けに寝そべる。すると、頭及び肩部分が中央クッション体１の上面（凸円弧面１５ａ）に接触するので、首筋（符号Ｍｂ）が背側に反り返った姿勢に維持される（前曲げされていた首筋が後側に伸ばされる）
上記のように、人体の背筋伸ばしや首筋伸ばしをしたいときには、図３又は図４に示すように、人体Ｍの処置すべき部位（背中Ｍａや首Ｍｂ）を連続クッション体Ｙ上の前後中央部付近（凸円弧面１５ａ部分）に位置させた状態で仰向けに寝そべるだけで、該処置すべき部位を自然に反り返り状態（伸ばし状態）に維持させることができるので、使用が非常に簡単である。
【００２９】
又、この組み合わせクッションは、３つのクッション体１，２，３が分離できるので、図３及び図４に示す３つを一列に連続させた連続クッション体Ｙの使用形態以外に、例えば図５や図６の各形態で使用することができる。
【００３０】
図５の使用例では、中央クッション体１と１つの接続クッション体３のみを連続させて中央クッション体１の凸円弧面１５ａ部分で首Ｍａ部分を伸ばすのに使用する一方、もう１つ（残り）の接続クッション体２を脚（ふくら脛Ｍｃ部分）の載せ台として使用している。
【００３１】
他方、図６の使用例は、ベッド上でテレビを見るときの姿勢であるが、この場合は、中央クッション体１と１つの接続クッション体３のみを連続させたものを脚（膝Ｍｄ付近）の載せ台として利用する一方、もう１つの接続クッション体２を背もたれとして使用している。
【００３２】
さらに他の使用例として、中央クッション体１を単独で肘載せ台に使用したり、接続クッション体２（又は３）を単独で腹ばいに寝そべった姿勢での胸載せ台に使用したり、等の各種の使用形態が可能である。
【００３３】
又、この組み合わせクッションは、３つのクッション体１，２，３が分離されているので、不使用時にはそれらのクッション体を積み重ねることでコンパクトに保管することができる。
【符号の説明】
【００３４】
１は中央クッション体、２，３は接続クッション体、１１は前側面、１２は後側面、１３は左側面、１４は右側面、１５は上面、１５ａは凸円弧面、２１は接合側面、２５は上面、２５ａはスロープ面、３１は接合側面、３５は上面、３５ａはスロープ面である。
【図１】
0003208207.tif 000003
【図２】
0003208207.tif 000004
【図３】
0003208207.tif 000005
【図４】
0003208207.tif 000006
【図５】
0003208207.tif 000007
【図６】
0003208207.tif 000008